(57)【特許請求の範囲】
【請求項１】
一端にフランジを有し、内周面の少なくとも一部にネジが刻設されてかしめ可能なリベットと、
中央に貫通孔が設けられた板状体、前記板状体の一方の面側において前記貫通孔を取り囲むように立設された環突条、及び前記板状体の他方の面側において立設され回転工具に係合されるべき三つの立設片を有し、前記板状体は、前記三つの立設片の外側まで延びてワッシャーとして機能する鍔部を含むナット機能付ワッシャーと、を備え、
前記板状体の前記他方の面側に前記フランジが係止されるように、前記ナット機能付ワッシャーの前記貫通孔に前記リベットが挿通されていることを特徴とするリベットナット。
【請求項２】
前記ナット機能付ワッシャーの前記三つの立設片の各々は、前記環突条の軸を中心とする仮想上の正六角形内に設けられ、該正六角形の隣り合わない三つの頂点各々に至る角部を有しており、
前記板状体の前記鍔部は、前記正六角形の外側まで延びていることを特徴とする請求項１に記載のリベットナット。
【請求項３】
前記ナット機能付ワッシャーの前記板状体は、中央から外方に向かって前記一方の面側に傾斜していることを特徴とする請求項１又は２に記載のリベットナット。
【請求項４】
請求項１〜３のいずれかに記載のリベットナットと、
貫通孔を通して前記リベット及び前記ナット機能付ワッシャーの前記環突条が挿通される胴縁受部材と、
貫通孔を通して前記リベットが挿通される回転板と、を備え、
前記リベットをかしめて突起部を設け、前記環突条の先端を前記回転板に押し付けた状態で、前記リベットの前記フランジと前記突起部との間で前記ナット機能付ワッシャー、前記胴縁受部材、及び前記回転板を挟持し、前記胴縁受部材とは独立して前記リベットナットを回転可能にしたことを特徴とする胴縁受セット。
【請求項５】
中央に貫通孔が設けられた板状体と、前記板状体の一方の面側において前記貫通孔を取り囲むように立設された環突条と、前記板状体の他方の面側において立設され回転工具に係合されるべき三つの立設片と、を備え、
前記板状体は、前記三つの立設片の外側まで延びてワッシャーとして機能する鍔部を有することを特徴とするナット機能付ワッシャー。
【請求項６】
前記三つの立設片の各々は、前記環突条の軸を中心とする仮想上の正六角形内に設けられ、該正六角形の隣り合わない三つの頂点各々に至る角部を有しており、
前記板状体の前記鍔部は、前記正六角形の外側まで延びていることを特徴とする請求項５に記載のナット機能付ワッシャー。
【発明の詳細な説明】
【技術分野】
【０００１】
本発明は、リベットナット、胴縁受セット、及びナット機能付ワッシャーに関する。
【背景技術】
【０００２】
近年、断熱性能の向上や結露の防止に有効な手段として、外断熱が注目を浴びている。この外断熱とは、具体的には、建物躯体のコンクリート外壁を断熱材で覆い、さらにその外側に空気層を介して外装材を取付けるものである。この外断熱に用いられる外装材取付具は、例えば、下記特許文献１に開示されている。
【０００３】
この特許文献１に記載のレベル調整器具において、表面材６３が取付け可能なレベル調整部材２０は、建物躯体６０のコンクリート壁面に打ち込み固定されたアンカーボルト６１と連結されているネジ部材１２の遊端側に、ネジ部材１２回りに回動自在な状態で取付けられている。レベル調整部材２０を構成するレベル調整治具材２２及び固定部材（胴縁受部材）２３は、ポップナット等のナット部材２１により一体化して固定されている。そして、コンクリート壁面に沿って延びる表面材取付部材５０が、この固定部材２３により支持されると共に、固定部材２３にスクリュー２８により留められている。表面材取付部材５０を固定部材２３にスクリュー留めした後、レベル調整治具材２２を手で回転させて、固定部材２３の不陸（レベル）調整を行っている。
【特許文献１】特開２００２−２１２９２号公報
【発明の開示】
【発明が解決しようとする課題】
【０００４】
しかしながら、上記のレベル調整治具材を手で回転させて不陸調整を行う際には、大きな力が必要で、また、このようなレベル調整治具材は固定部材の裏側に隠れてしまうことや断熱材が存在することから、回転作業が困難であった。これにより、胴縁が固定される固定部材の不陸調整が困難で、作業性が低いという問題があった。
【０００５】
本発明は、上記の問題点を解決するためになされたもので、胴縁受部材の不陸調整を容易にし、作業性を高めることが可能なリベットナット、胴縁受セット、及びナット機能付ワッシャーを提供することを目的とする。
【課題を解決するための手段】
【０００６】
本発明に係るリベットナットは、（１）一端にフランジを有し、内周面の少なくとも一部にネジが刻設されてかしめ可能なリベットと、（２）中央に貫通孔が設けられた板状体、板状体の一方の面側において貫通孔を取り囲むように立設された環突条、及び板状体の他方の面側において立設された三つの立設片を有し、板状体は、三つの立設片の外方まで延びてワッシャーとして機能する鍔部を有するナット機能付ワッシャーと、を備え、板状体の他方の面側にフランジが係止されるように、ナット機能付ワッシャーの貫通孔にリベットが挿通されていることを特徴とする。
【０００７】
このリベットナットでは、リベットをかしめることで、かしめにより生じた突起部とフランジとの間に、ナット機能付ワッシャー及び胴縁受部材を挟持することができる。そして、六角レンチ等の回転工具を三つの立設片に係合させてリベットと一体に回転させることで、胴縁受部材の不陸調整を小さな力で容易に行うことができる。また、回転工具に係合されて回転される立設片は、胴縁受部材の裏側に隠れてしまうことがないので、断熱材の存在を原因として作業性が悪化することがない。これにより、胴縁受部材の不陸調整を容易に行うことができ、作業性を高めることができる。また、ナット機能付ワッシャーの板状体は、三つの立設片の外側まで延びる鍔部を有するため、この鍔部が回転板として機能することで、リベットナットが挿通された胴縁受部材の貫通孔にリベットナットが落ち込むことを防止することができる。
【０００８】
ナット機能付ワッシャーの三つの立設片の各々は、環突条の軸を中心とする仮想上の正六角形内に設けられ、正六角形の隣り合わない三つの頂点各々に至る角部を有しており、板状体の鍔部は、正六角形の外側まで延びていると好ましい。このようにすれば、レンチ等の回転工具に三点を係合させて、ナット機能付ワッシャーを介してリベットナットを確実に回転させることができる。
【０００９】
ナット機能付ワッシャーの板状体は、中央から外方に向かって一方の面側に傾斜していると好ましい。このようにすれば、リベットをかしめて胴縁受部材を挟持するとき、板状体のばね作用により板状体とリベットとの接触部位における摩擦力が増大するため、リベットとナット機能付ワッシャーとを一体としてより回転させ易くなる。
【００１０】
本発明に係る胴縁受セットは、（１）上記したリベットナットと、（２）貫通孔を通してリベット及びナット機能付ワッシャーの環突条が挿通される胴縁受部材と、（３）貫通孔を通してリベットが挿通される回転板と、を備え、リベットをかしめて突起部を設け、環突条の先端を回転板に押し付けた状態で、リベットのフランジと突起部との間でナット機能付ワッシャー、胴縁受部材、及び回転板を挟持し、胴縁受部材とは独立してリベットナットを回転可能にしたことを特徴とする。
【００１１】
この胴縁受セットは、上記したリベットナットリベットを備えるため、胴縁受部材の不陸調整を容易に行うことができ、作業性を高めることができる。
【００１２】
本発明に係るナット機能付ワッシャーは、（１）中央に貫通孔が設けられた板状体と、（２）板状体の一方の面側において貫通孔を取り囲むように立設された環突条と、（３）板状体の他方の面側において立設された三つの立設片と、を備え、板状体は、三つの立設片の外側まで延びてワッシャーとして機能する鍔部を有することを特徴とする。このナット機能付ワッシャーを用いることで、上記したリベットナットを形成することができる。
【００１３】
三つの立設片の各々は、環突条の軸を中心とする仮想上の正六角形内に設けられ、正六角形の隣り合わない三つの頂点各々に至る角部を有しており、板状体の鍔部は、正六角形の外側まで延びていると好ましい。このようにすれば、レンチ等の回転工具に三点を係合させて、ナット機能付ワッシャーを確実に回転させることができる。
【発明の効果】
【００１４】
本発明によれば、胴縁受部材の不陸調整を容易にし、作業性を高めることが可能となる。
【発明を実施するための最良の形態】
【００１５】
以下、添付図面を参照して本発明の実施形態について説明する。なお、図面の説明において同一の要素には同一の符号を付し、重複する説明を省略する。
【００１６】
図１（ａ）及び図１（ｂ）はそれぞれ、本実施形態に係る胴縁受セットを示す斜視図、図１（ａ）に示す胴縁受セットのＩ−Ｉ線矢視断面図である。胴縁受セット１０は、図１（ａ）及び図１（ｂ）に示すように、リベットナット２０と、胴縁受部材４０と、回転板５０と、を備える。
【００１７】
リベットナット２０は、図２（ａ）及び図２（ｂ）に示すように、リベット２２とナット機能付ワッシャー２４を備えている。リベット２２は、外形が円筒状をなし、一端にフランジ２２ａを有している。リベット２２の下端部における内周面には、ネジ２２ｂが刻設されている。このリベット２２は、鉄、アルミ、ステンレス、その他の合金、又はプラスチックなどの材料により形成されており、かしめ可能である。
【００１８】
ナット機能付ワッシャー２４は、図３及び図４に示すように、板状体２６、環突条２８、及び三つの立設片３０を備えている。板状体２６は、外形が円板状をなし、中央には円形の貫通孔２６ａが設けられている。環突条２８は、板状体２６の下面（一方の面）側において貫通孔２６ａを取り囲むように円形状に立設されている。三つの立設片３０は、板状体２６の上面（他方の面）側に立設されている。
【００１９】
この三つの立設片３０の各々は、図５に示すように、環突条２８の軸Ｘを中心とする仮想上の正六角形Ｈ内に設けられ、正六角形Ｈの隣り合わない三つの頂点各々に至る角部３０ａを有している。特に、本実施形態では、三つの立設片３０は正六角形Ｈの隣り合わない三つの辺に沿って設けられていることで、角部３０ａの他に、正六角形Ｈの隣り合わない三つの頂点各々に至る角部３０ｂを有している。この配置が、後述するように六角レンチ等の回転工具によりリベットナット２０を回転させるのに重要になる。板状体２６は、正六角形Ｈの外方まで延びてワッシャーとして機能する鍔部２６ｂを有する。
【００２０】
ここで、上記した構成のナット機能付ワッシャー２０は、プレス成形により一体成形可能である。すなわち、円板状の板材の中央に貫通孔２６ａを形成しつつ環突条２８を形成する一方、この貫通孔２６ａを取り囲むように板面の三箇所にコ字状の切込みを入れる。そして、切込み部分を立設することで、三つの立設片３０を設ける。このようにして、ナット機能付ワッシャー２４を形成することができる。
【００２１】
胴縁受部材４０は、胴縁（図７（ａ）の７０）を固定する部材であり、図１（ａ）及び図１（ｂ）に示すように、断面が略コ字状をなす。胴縁受部材４０の屈曲された側壁の縁部は、胴縁７０の切り欠き７２を嵌め込むことができるように内側に折り返されており、胴縁用の受部４２が設けられている。また、リベットナット２０の位置を、胴縁受部材４０の長手方向に対して垂直な方向（図１（ｂ）における左右方向）に微調整できるように、胴縁受部材４０は、リベット２２及びナット機能付ワッシャー２４の環突条２８が挿通される略楕円形状の楕円孔４４を有する。
【００２２】
回転板５０は、図６に示すように、中央に貫通孔５４が形成された略八角形状の板面に４つの突部５２を備える。四つの突部５２は、略円環状に盛り上がった突起であり、突起５２の高さは約１ｍｍ程度に統一されている。これにより、回転板５０の全ての回転位置において、胴縁受部材４０及び当該回転板５０の距離を一定に保ちながら、回転板５０及び胴縁受部材４０が当接する。このような突部５２を備えることにより、回転板５０及び胴縁受部材４０の間の摩擦を突部が小さくすることができるため、回転板５０を回転させる際に必要となる力を小さくすることができる。その結果、胴縁受部材４０の不陸調整をより容易に行うことができ、作業性をより高めることができる。また、突部５２を備えることにより、回転板５０の強度を向上させることができる。
【００２３】
なお、この複数の突部５２は、回転板５０の回転軸である軸Ｘに関して４次の回転対称性を有する位置に、４つ配置されている。ここで、複数の突部５２は、回転板５０の鉛直方向から見た軸Ｘの周りでの９０度回転に関して、対称性を有するように配置されている。この対称性を「４次の回転対称性」という。これにより、回転板５０の全ての回転位置において、胴縁受部材４０及び当該回転板５０の距離をより確実に一定に保つことができるので、回転板５０及び胴縁受部材４０の間の摩擦を突部がより確実に小さくすることができる。この結果、胴縁受部材４０の不陸調整をより容易に行うことができ、作業性をより高めることができる。なお、複数の突部５２は、２次以上の回転対称性を有すれば特に限定されない。ここで、「ｎ次の回転対称性」とは、回転板５０の鉛直方向から見た軸Ｘの周りでの（３６０／ｎ）度回転に関して対称性を有することを示す。
【００２４】
この胴縁受セット１０では、リベットナット２０のリベット２２がかしめられる前の状態で（図２（ａ）及び図２（ｂ）参照）、リベット２２に胴縁受部材４０及び回転板５０が挿通される。その後、リベット２２がかしめられて突起部２２ｃが形成され、リベット２２のフランジ２２ａと突起部２２ｃとの間に、ナット機能付ワッシャー２４、胴縁受部材４０、及び回転板５０が挟持される。なお、ナット機能付ワッシャー２４の環突条２８は、その先端が回転板５０に押し付けられるような高さに形成されており、その反力により板状体２６がリベット２２のフランジ２２ａに押し付けられている。これにより、リベット２２とナット機能付ワッシャー２４との間の摩擦力が大きくなるため、立設片３０に回転工具を嵌め合わせてナット機能付ワッシャー２４を回転させることで、リベット２２が一体として回転するようになっている。
【００２５】
次に、胴縁受セット１０及び胴縁７０を用いた外装材の施工方法について説明する。
【００２６】
図７（ａ）及び図７（ｂ）は、胴縁受セット１０を用いた胴縁７０の取付けを説明する斜視図である。建物躯体のコンクリート外壁８０に、アンカーボルト８２の一端が埋め込まれており、他端がコンクリート外壁８０から露出してコンクリート外壁８０の壁面８０ａの法線方向に延びている。ガラスウール製等の断熱材８４は、コンクリート外壁８０から露出したアンカーボルト８２の遊端側から、コンクリート外壁８０に向かって押し付けられて固定されている。このように断熱材８４の表面８４ａから露出しているアンカーボルト８２の一端にリベットナット２０のリベット２２を挿入し、ナット機能付ワッシャー２４を回転工具（ラチェット等のボックスレンチ）９０により回転させる。或いは、回転板５０を素手により回転させる。このようにして、上記の胴縁受セット４０をアンカーボルト８２に取付ける。
【００２７】
次に、図７（ａ）に示すように、胴縁受部材４０の受部４２に、当該受部４２に嵌まり込む切欠き７２を有する胴縁７０を、ナット機能付ワッシャー２４が露出して外側から見えるような位置に嵌め込んで取付ける。このように、胴縁７０をナット機能付ワッシャー２４が存在する位置から外れる位置にずらして重ならないように取付けることにより、回転工具９０によるリベットナット２０の容易な回転が可能になる。
【００２８】
次に、ナット機能付ワッシャー２４の立設片３０に回転工具９０を嵌め合わせ、これを回転させて胴縁受部材４０の不陸調整（コンクリート外壁の壁面８０ａの法線方向に沿った位置調整）を行う。ここで、図５に示すように、三つの立設片３０は正六角形Ｈの隣り合わない三つの辺に沿って設けられていることで、各立設片３０は正六角形Ｈの隣り合わない三つの頂点各々に至る角部３０ａ乃至３０ｂを有している。従って、これら立設片３０の三つの角部３０ａ、或いは三つの角部３０ｂがボックスレンチ等の回転工具９０に係合し、回転される。このとき、リベット２２はナット機能付ワッシャー２４と一体的に回転し、このリベットナット２０が胴縁受部材４０とは独立して回転する。このようにして、胴縁受部材４０の不陸調整（アンカーボルト８２の軸方向に沿った位置調整）を小さな力で容易に行うことができ、作業性を高めることができる。或いは、周辺の部材が邪魔にならない場合は回転板５０を回転させることで、胴縁受部材４０の不陸調整を小さな力で容易に行うことができ、作業性をより高めることができる。なお、不陸調整だけでなく、例えば胴縁４０及び胴縁受セット１０が固定された状態でのアンカーボルト８２からの取り外しも、回転工具９０或いは回転板５０を逆に回転させることにより可能となる。
【００２９】
このようにして不陸の調整がなされた後、胴縁７０に対して図示しない外装材を取り付けることで、外装材の施工が完了する。なお、図７（ｂ）に示すように、図７（ａ）に示される胴縁７０の切欠き７２と胴縁受部材４０の受部４２との関係を逆にして、胴縁受部材４０に切欠き４９を設けると共に、胴縁７０に側壁の縁部を折り返してなる受部７９を設けてもよい。
【００３０】
このように本実施形態では、リベット２２をかしめることで、かしめにより生じた突起部２２ｃとフランジ２２ａとの間に、ナット機能付ワッシャー２４及び胴縁受部材４０を挟持することができる。そして、三つの立設片３０の各々は仮想上の正六角形Ｈ内に設けられ、正六角形Ｈの隣り合わない三つの頂点各々に至る角部３０ａ，３０ｂを有しているため、六角レンチ等の回転工具９０を立設片３０に係合させてナット機能付ワッシャー２４とリベット２２とを一体に回転させることで、胴縁受部材４０の不陸調整を小さな力で容易に行うことができる。また、回転工具９０に係合されて回転される立設片３０は、胴縁受部材４０の裏側に隠れてしまうことがないので、断熱材８４の存在を原因として作業性が悪化することがない。これにより、胴縁受部材４０の不陸調整を容易に行うことができ、作業性を高めることができる。
【００３１】
また、ナット機能付ワッシャー２４の板状体２６は、上記正六角形Ｈの外側まで延びる鍔部２６ｂを有するため、この鍔部２６ｂがワッシャーとして機能することで、リベットナット２０が挿通された胴縁受部材４０の楕円孔４４にリベットナット２０が落ち込むことを防止することができる。
【００３２】
また、リベット２２とナット機能付ワッシャー２４とを別体で設けてリベットナット２０を構成しているため、その成形が容易になる。特に、ナット機能付ワッシャー２４はプレス成形により容易に形成することができるため、コスト低減を図ることもできる。
【００３３】
ここで、ナット機能付ワッシャー２４の板状体２６は、図８に示すように、中央から外方に向かって下面側に傾斜していると好ましい。このようにすれば、リベット２２をかしめて胴縁受部材４０を挟持するとき、板状体２６のばね作用により板状体２６とリベット２２との接触部位における摩擦力が増大するため、リベット２２とナット機能付ワッシャー２４とを一体としてより回転させ易くなる。
【００３４】
次に、ナット機能付ワッシャー２４の変形例について説明する。上記実施形態では、ナット機能付ワッシャー２４として図３乃至図５に示すものを用いたが、ナット機能付ワッシャー２４は図９乃至図１１に示すものであってもよい。
【００３５】
すなわち、図３乃至図５に示すナット機能付ワッシャー２４では、三つの立設片３０は正六角形Ｈの隣り合わない三つの辺に沿って設けられていることで、各立設片３０は正六角形Ｈの隣り合わない三つの頂点各々に至る角部３０ａ，３０ｂを有していた。しかしながら、三つの立設片３０は、図１１に示すように、環突条２８の軸Ｘを中心とする仮想上の正六角形Ｈ内で、正六角形Ｈの隣り合わない三つの頂点各々に至る角部３０ａのみを有してもよい。この場合は、三つの立設片３０の三つの角部３０ａがボックスレンチ等の回転工具９０に係合し、回転される。なお、板状体２６の下面には、図３乃至図５に示すナット機能付ワッシャー２４と同様に環突条２８が設けられている。
【００３６】
また、ナット機能付ワッシャー２４は図１２乃至図１３に示すものであってもよい。このナット機能付ワッシャー２４は、板状体２６、環突条２８、及び三つの立設片３０を備えている。板状体２６は、外形がＹ字状をなし、中央には円形の貫通孔２６ａが設けられている。環突条２８は、板状体２６の下面側において貫通孔２６ａを取り囲むように円形状に立設されている。三つの立設片３０は、板状体２６の上面側に立設されている。
【００３７】
この三つの立設片３０は、環突条２８の軸Ｘを中心とする仮想上の正六角形内に設けられ、正六角形の隣り合わない三つの頂点各々に至る角部３０ａを有している。特に、本実施形態では、三つの立設片３０は正六角形の隣り合わない三つの辺に沿って設けられていることで、角部３０ａの他に、正六角形の隣り合わない三つの頂点各々に至る角部３０ｂを有している。板状体２６は、正六角形の外方まで延びてワッシャーとして機能する鍔部２６ｂを有する。この構成のナット機能付ワッシャー２４は、プレス成形により一体成形可能である。すなわち、Ｙ字状の板材の中央に貫通孔２６ａを形成しつつ環突条２８を形成する一方、Ｙ字状の板材の股間に設けられた屈曲前の立設片３０を立設することで、三つの立設片３０を設ける。このようにして、ナット機能付ワッシャー２４を形成することができる。
【００３８】
また、ナット機能付ワッシャー２４は図１４乃至図１５に示すものであってもよい。このナット機能付ワッシャー２４は、板状体２６、環突条２８、及び三つの立設片３０を備えている。板状体２６は、外形が円板状をなし、中央には円形の貫通孔２６ａが設けられている。環突条２８は、板状体の下面側において貫通孔２６ａを取り囲むように円形状に立設されている。三つの立設片３０は、板状体２６の上面側に立設されている。
【００３９】
この三つの立設片３０は、環突条２８の軸Ｘを中心とする仮想上の正六角形内に設けられ、正六角形の隣り合わない三つの頂点各々に至る角部３０ａを有している。特に、本実施形態では、三つの立設片３０は正六角形の隣り合わない三つの辺に沿って設けられていることで、角部３０ａの他に、正六角形の隣り合わない三つの頂点各々に至る角部３０ｂを有している。板状体２６は、正六角形の外方まで延びてワッシャーとして機能する鍔部２６ｂを有する。この構成のナット機能付ワッシャー２４は、プレス成形により一体成形可能である。すなわち、円板状の板材の中央に貫通孔２６ａを形成しつつ環突条２８を形成する一方、この貫通孔２６ａを取り囲むように板面の縁部の三箇所にコ字状の切込みを入れる。そして、切込み部分を立設することで、三つの立設片３０を設ける。このようにして、ナット機能付ワッシャー２４を形成することができる。
【００４０】
また、ナット機能付ワッシャー２４は図１６乃至図１７に示すものであってもよい。このナット機能付ワッシャー２４は、図３乃至図５に示したものと基本形状が共通している。すなわち、図３乃至図５に示すナット機能付ワッシャー２４では、三つの立設片３０は正六角形Ｈの隣り合わない三つの辺に沿って設けられていることで、各立設片３０は正六角形Ｈの隣り合わない三つの頂点各々に至る角部３０ａ，３０ｂを有していた。これに対し、図１６乃至図１７に示すナット機能付ワッシャー２４では、これら三つの立設片３０の間に更に他の三つの立設片９４が設けられている。しかしながら、回転工具９０に係合して回転に十分に寄与するのは、これら他の三つの立設片９４ではなく、あくまでも三つの立設片３０の角部３０ａ，３０ｂである。
【００４１】
さらに、ナット機能付ワッシャー２４は図１８乃至図１９に示すものであってもよい。このナット機能付ワッシャー２４は、図９乃至図１１に示したものと、図１２乃至図１３に示したものとの双方の特徴を併せ持つ。このナット機能付ワッシャー２４は、板状体２６、環突条２８、及び三つの立設片３０を備えている。板状体２６は、外形がＹ字状をなし、中央には円形の貫通孔２６ａが設けられている。環突条２８は、板状体２６の下面側において貫通孔２６ａを取り囲むように円形状に立設されている。三つの立設片３０は、板状体２６の上面側に立設されている。
【００４２】
この三つの立設片３０は、環突条２８の軸Ｘを中心とする仮想上の正六角形Ｈ内で、正六角形Ｈの隣り合わない三つの頂点各々に至る角部３０ａのみを有している。この場合は、三つの立設片３０の三つの角部３０ａがボックスレンチ等の回転工具９０に係合し、回転される。なお、板状体２６の下面には、図３乃至図５に示すナット機能付ワッシャー２４と同様に環突条２８が設けられている。板状体２６は、正六角形の外方まで延びてワッシャーとして機能する鍔部２６ｂを有する。この構成のナット機能付ワッシャー２４は、プレス成形により一体成形可能である。すなわち、Ｙ字状の板材の中央に貫通孔２６ａを形成しつつ環突条２８を形成する一方、Ｙ字状の板材の股間に設けられた屈曲前の立設片３０を立設することで、三つの立設片３０を設ける。このようにして、ナット機能付ワッシャー２４を形成することができる。
【００４３】
なお、本発明は上記した実施形態に限定されることなく、本発明の趣旨を逸脱しない範囲で種々の変形が可能である。
【図面の簡単な説明】
【００４４】
【図１】本実施形態に係る胴縁受部材を示す、斜視図及び矢視断面図である。
【図２】リベットナットを示す、斜視図及び矢視断面図である。
【図３】ナット機能付ワッシャーを示す斜視図である。
【図４】図３のナット機能付ワッシャーを示す側面図である。
【図５】図３のナット機能付ワッシャーについて立設片の配置を説明するための図である。
【図６】回転板を示す斜視図である。
【図７】胴縁受部材により胴縁を固定した状態で不陸を調整する様子を示す斜視図である。
【図８】ナット機能付ワッシャーの板状体が傾斜したリベットナットの変形例を示す断面図である。
【図９】ナット機能付ワッシャーの変形例を示す斜視図である。
【図１０】図９のナット機能付ワッシャーを示す側面図である。
【図１１】図９のナット機能付ワッシャーについて立設片の配置を説明するための図である。
【図１２】ナット機能付ワッシャーの変形例を示す斜視図である。
【図１３】図１２のナット機能付ワッシャーを示す側面図である。
【図１４】ナット機能付ワッシャーの変形例を示す斜視図である。
【図１５】図１４のナット機能付ワッシャーを示す側面図である。
【図１６】ナット機能付ワッシャーの変形例を示す斜視図である。
【図１７】図１６のナット機能付ワッシャーを示す側面図である。
【図１８】ナット機能付ワッシャーの変形例を示す斜視図である。
【図１９】図１８のナット機能付ワッシャーを示す側面図である。
【符号の説明】
【００４５】
１０…胴縁受セット、２０…リベットナット、２２…リベット、２２ａ…フランジ、２２ｂ…ネジ、２２ｃ…突起部、２４…ナット機能付ワッシャー、２６…板状体、２６ａ…貫通孔、２６ｂ…鍔部、２８…環突条、３０…立設片、３０ａ，３０ｂ…角部、４０…胴縁受部材、５０…回転板。
【図１】
0004717540.tif 000002
【図２】
0004717540.tif 000003
【図３】
0004717540.tif 000004
【図４】
0004717540.tif 000005
【図５】
0004717540.tif 000006
【図６】
0004717540.tif 000007
【図７】
0004717540.tif 000008
【図８】
0004717540.tif 000009
【図９】
0004717540.tif 000010
【図１０】
0004717540.tif 000011
【図１１】
0004717540.tif 000012
【図１２】
0004717540.tif 000013
【図１３】
0004717540.tif 000014
【図１４】
0004717540.tif 000015
【図１５】
0004717540.tif 000016
【図１６】
0004717540.tif 000017
【図１７】
0004717540.tif 000018
【図１８】
0004717540.tif 000019
【図１９】
0004717540.tif 000020